(57)【特許請求の範囲】
【請求項１】
一次覆工の管１と二次覆工の内挿管２との間に充填される裏込め材５の充填確認管４を備え、二次覆工の内挿管２にはねじ孔付き金具21が取付けられ、
上記充填確認管４は、外面に、上記ねじ孔付き金具21にねじ込むための雄ねじ41が刻設され、先端開口部に押し潰し可能な蓋体42が取付けられ、基端部にパイプレンチ等の工具により回転できる工具把持部43が設けられ、
かつ、裏込め材５が硬化後に上記ねじ孔付き金具21のねじ孔を閉鎖する閉鎖具７を備えていることを特徴とする裏込め材の充填確認管構造。
【請求項２】
一次覆工の管１と二次覆工の内挿管２との間に充填される裏込め材５の充填確認方法であって、二次覆工の内挿管２に、ねじ孔付き金具21を取付け、
一次覆工の管１と二次覆工の内挿管２との間に裏込め材５を注入充填するに当たり、内挿管２に設けられた上記ねじ孔付き金具21に請求項１記載の裏込め材５の充填確認管構造の充填確認管４を内挿管２の内方からねじ込み充填確認管４の先端を一次覆工の管１内面付近に到達させ、充填確認管４の先端開口部の蓋体42を押し潰して充填具合を観察し、その後、上記ねじ孔付き金具21から上記充填確認管４を取り外し、上記ねじ孔付き金具21のねじ孔に閉鎖具７をねじ込んで閉鎖することを特徴とする裏込め材の充填確認方法。
【発明の詳細な説明】
【０００１】
【発明の属する技術分野】
本発明は、例えば、下水道等のトンネル内をシールド工法等によって一次覆工した後、二次覆工用の内挿管を挿入し、一次覆工の管と二次覆工の内挿管との間に充填される裏込め材の充填確認する際に使用される充填確認管構造及び充填確認方法に関するものである。
【０００２】
【従来の技術】
従来、例えば、特開平７−２９３７６７号公報等に記載されているように、下水道等のトンネル内をシールド工法等によって一次覆工した後、二次覆工用の内挿管を挿入し、一次覆工の管と二次覆工の内挿管との間にエアモルタル等の裏込め材を充填することが知られている。
【０００３】
例えば、特願平９−３００２６３号明細書等に記載されているように、一次覆工の管と二次覆工の内挿管との間の裏込め材の注入は、内挿管に注入装置を取付けて行われるか、或いは、一次覆工の管と二次覆工の内挿管との間に裏込め材充填用管を配置し、裏込め材充填用管から注入するようにされている。
【０００４】
【発明が解決しようとする課題】
しかしながら、一次覆工の管と二次覆工の内挿管との間への裏込め材の注入後の充填の確認手段がなかったので、一次覆工の管と二次覆工の内挿管との間に裏込め材が十分に隙間なく充填されない場合が多々あった。
【０００５】
本発明は、従来の一次覆工の管と二次覆工の内挿管との間の裏込め材の注入充填における、このような問題点に鑑みてなされたものであり、その目的とするところは、上記の問題を解決し、一次覆工の管と二次覆工の内挿管との間の裏込め材の充填確認が可能な充填確認構造及び充填確認方法を提供することにある。
【０００６】
【課題を解決するための手段】
上記の目的を達成するために、請求項１記載の本発明の裏込め材の充填確認管構造は、一次覆工の管と二次覆工の内挿管との間に充填される裏込め材の充填確認管を備え、二次覆工の内挿管にはねじ孔付き金具が取付けられ、上記充填確認管は、外面に、上記ねじ孔付き金具にねじ込むための雄ねじが刻設され、先端開口部に押し潰し可能な蓋体が取付けられ、基端部にパイプレンチ等の工具により回転できる工具把持部が設けられ、かつ、裏込め材が硬化後に上記ねじ孔付き金具のねじ孔を閉鎖する閉鎖具を備えていることを特徴とするものである。
【０００７】
又、請求項２記載の本発明の裏込め材の充填確認方法は、
一次覆工の管と二次覆工の内挿管との間に充填される裏込め材の充填確認方法であって、二次覆工の内挿管に、ねじ孔付き金具を取付け、一次覆工の管と二次覆工の内挿管との間に裏込め材を注入充填するに当たり、内挿管に設けられた上記ねじ孔付き金具に請求項１記載の裏込め材の充填確認管構造の充填確認管を内挿管の内方からねじ込み充填確認管の先端を一次覆工の管内面付近に到達させ、充填確認管の先端開口部の蓋体を押し潰して充填具合を観察し、その後、上記ねじ孔付き金具から上記充填確認管を取り外し、上記ねじ孔付き金具のねじ孔に閉鎖具をねじ込んで閉鎖することを特徴とするものである。
【０００８】
本発明において、充填確認管の材質としては、外面に雄ねじが刻設でき、一次覆工の管と二次覆工の内挿管との間に充填される裏込め材の圧力により容易に破壊されない強度を備えているものであればよいものであって、特に限定されないが、例えば、硬質塩化ビニル樹脂、ポリエチレン、ポリプロピレン、ポリスチレン、ポリカーボネート等の合成樹脂や鋼等の金属等が使用できる。
【０００９】
本発明において、先端開口部に取付けられる押し潰し可能な蓋体としては、裏込め材の注入圧に対しては潰れることはないが、容易に押し潰しができる程度の強度を備えた蓋体であればよく、その材質としては、具体的には、例えば、硬質塩化ビニル樹脂、ポリエチレン、ポリプロピレン等の合成樹脂等や紙質のもの等が使用できる。
【００１０】
又、本発明において、充填確認管の基端部に設けられる工具把持部であって、パイプレンチ等の工具により回転できる工具把持部としては、断面形状が四角形、六角形等の多角形にすることによりパイプレンチ等の工具により回転できるようにすればよい。
【００１１】
〔作用〕
請求項１記載の本発明に係る裏込め材の充填確認管構造の充填確認管においては、一次覆工の管と二次覆工の内挿管との間に充填される裏込め材の充填確認管を備え、二次覆工の内挿管にはねじ孔付き金具が取付けられ、充填確認管は、外面に、ねじ孔付き金具にねじ込むための雄ねじが刻設され、先端開口部に押し潰し可能な蓋体が取付けられ、基端部にパイプレンチ等の工具により回転できる工具把持部が設けられ、かつ、裏込め材が硬化後にねじ孔付き金具のねじ孔を閉鎖する閉鎖具を備えているので、使用に際しては、一次覆工の管と二次覆工の内挿管との間に裏込め材を充填するに当たり、内挿管に設けられたねじ孔に裏込め材の充填確認管を内挿管の内方からねじ込み充填確認管の先端を一次覆工の管内面付近に到達させ、充填確認管の先端開口部の蓋体を押し潰して充填具合を観察することにより裏込め材の充填状況を確認することができる。
【００１２】
又、請求項２記載の本発明の裏込め材の充填確認方法においては、一次覆工の管と二次覆工の内挿管との間に充填される裏込め材の充填確認方法であって、二次覆工の内挿管に、ねじ孔付き金具を取付け、一次覆工の管と二次覆工の内挿管との間に裏込め材を注入充填するに当たり、内挿管に設けられたねじ孔付き金具に請求項１記載の裏込め材の充填確認管構造の充填確認管を内挿管の内方からねじ込み充填確認管の先端を一次覆工の管内面付近に到達させ、充填確認管の先端開口部の蓋体を押し潰して充填具合を観察し、その後、ねじ孔付き金具から充填確認管を取り外し、上記ねじ孔付き金具のねじ孔に閉鎖具をねじ込んで閉鎖するから、裏込め材の充填状況を確認することができる。
【００１３】
【発明の実施の形態】
次に、本発明の実施の形態を図面を参照しながら説明する。
図１は本発明の裏込め材の充填確認方法の一実施態様を示す説明図、図２は図１のＩＩ−ＩＩ線における断面図である。
【００１４】
図１、２において、１は一次覆工の管であり、一次覆工の管１は複数個のタグタイルセグメントを連結具により連結されて構成されている。２は二次覆工の内挿管であり、内挿管はガラス繊維強化樹脂モルタル管（ＦＲＰＭ管）により構成されている。
【００１５】
このような一次覆工の管１と二次覆工の内挿管２との間に裏込め材を注入充填するには、内挿管２に穿設された透孔に取付けられたねじ孔付き金具２１のねじ孔に注入装置３のノズル３１をねじ込み、矢印ａで示すように裏込め材５を注入する。５１は未充填部分である。
【００１６】
他方、他のねじ孔付き金具２１に本発明の充填確認管４をねじ込み、充填確認管４の先端を一次覆工の管１のな内面付近に到達させる。充填確認管４は図３に拡大して示すように、外面に雄ねじ４１が刻設され、先端開口部には押し潰し可能な硬質塩化ビニル樹脂製の蓋体４２が溶接により取付けられ、基端部に工具把持部４３が接着により取付けられ、工具把持部４３にはパイプレンチ等の工具により回転できるように断面六角形部分４３１が設けられている。充填確認管４の雄ねじ部の長さＬは６００ｍｍ、蓋体４２の直径ｄは５０ｍｍ、厚さｔは５．０ｍｍである。
【００１７】
一次覆工の管１と二次覆工の内挿管２との間に裏込め材５を注入充填し、裏込め材５が硬化された後、充填確認管４の蓋体４２を押し潰して充填具合を観察する。観察の結果、裏込め材５の充填が不完全な場合には裏込め材５を更に注入する。
【００１８】
このようにして観察した後は、ねじ孔付き金具２１から充填確認管４の工具把持部４３の断面六角形部分４３１をレンチ６により把持し、充填確認管４を回転させて外し、ねじ孔付き金具２１のねじ孔には図５に示すような円板状閉鎖具７をねじ込んで取り付けてねじ孔を閉鎖する。円板状閉鎖具７の外面には雄ねじ７１が設けられ、底面には六角穴７２が凹設され、六角穴７２にプラグレンチを挿入することにより回転できるようになっている。
【００１９】
図３に示す本発明の裏込め材の充填確認管４においては、外面に雄ねじ４１が刻設され、先端開口部に押し潰し可能な蓋体４２が取付けられ、基端部にパイプレンチ等の工具により回転できる工具把持部４３が設けられているので、使用に際しては、一次覆工の管１と二次覆工の内挿管２との間に裏込め材５を充填するに当たり、内挿管２に取付けられたねじ孔付き金具２１のねじ孔に裏込め材の充填確認管４を内挿管２の内方からねじ込み、充填確認管４の先端を一次覆工の管１の内面付近に到達させ、充填確認管４の先端開口部の蓋体４２を押し潰して充填具合を観察することにより裏込め材５の充填状況を確認することができる。
【００２０】
以上、本発明の実施の形態例を図により説明したが、本発明の構成は図示の実施の形態例に限定されるものではなく、本発明の主旨を逸脱しない範囲の設計変更は本発明に含まれる。
【００２１】
例えば、工具把持部４３は図示の実施の形態のように、別体のものを接着して構成する代わりに充填確認管４に一体的に設けるようにしてもよい。
【００２２】
【発明の効果】
請求項１記載の本発明に係る裏込め材の充填確認管においては、使用に際しては、一次覆工の管と二次覆工の内挿管との間に裏込め材を充填するに当たり、内挿管に設けられたねじ孔に裏込め材の充填確認管を内挿管の内方からねじ込み、充填確認管の先端を一次覆工の管内面付近に到達させ、充填確認管の先端開口部の蓋体を押し潰して充填具合を観察することにより裏込め材の充填状況を確認することができるので、裏込め材の充填不完全による事故を未然に防止できる。
【００２３】
又、請求項２記載の本発明の裏込め材の充填確認方法においては、裏込め材の充填状況を確認することができるので、裏込め材の充填不完全による事故を未然に防止できる。
【図面の簡単な説明】
【図１】  本発明の裏込め材の充填確認方法の一実施態様を示す説明図。
【図２】  図１のＩＩ−ＩＩ線における断面図。
【図３】  本発明の充填確認管の一例を示す左半部切欠正面図。
【図４】  本発明の充填確認管を取り外す態様を示す斜視図。
【図５】  円板状閉塞具の斜視図。
【符号の説明】
１              一次覆工の管
２              二次覆工の内挿管
２１            ねじ孔付き金具
３              裏込め材注入装置
３１            ノズル
４              充填確認管
４１            雄ねじ
４２            蓋体
４３            工具把持部
４３１          断面六角形部分
５              裏込め材
５１            未充填部分
７              閉鎖具
【図１】
0004286365.tif 000002
【図２】
0004286365.tif 000003
【図３】
0004286365.tif 000004
【図４】
0004286365.tif 000005
【図５】
0004286365.tif 000006